(57)【特許請求の範囲】
【請求項１】
装置本体と、
前記装置本体に回動自在に支持され、装置本体外部へ向けて記録媒体を排出させる排紙機構と、
前記装置本体に開閉自在に支持されたガイド機構と、
排出された記録媒体を収容する複数の排出部と
を有し、
前記ガイド機構の開閉状態に応じて前記排出部を切り替えて前記記録媒体を排出すると共に、前記ガイド機構の開閉動作に連動して前記排紙機構を回動させ、前記排紙機構から排出される前記記録媒体の進行方向を切り替え、
前記ガイド機構は、前記ガイド機構が所定角度開いた第１の位置で係止された第１の開状態、又は、前記ガイド機構が前記所定角度より大きい角度で開いた第２の位置で係止された第２の開状態を、選択的に切り替え可能にする構造を有する
ことを特徴とする排紙装置。
【請求項２】
前記記録媒体の進行方向は、前記ガイド機構が閉状態にあるときの第１の方向と、前記ガイド機構が前記第１又は第２の開状態にあるときの第２の方向との間で切り替えられ、前記第２の方向は前記第１の方向よりも水平方向に近いことを特徴とする、請求項１に記載の排紙装置。
【請求項３】
前記排紙機構は、
回動軸と、
前記回動軸を中心に回動する第１の排紙ローラと、
前記回動軸を中心に回動する支持部材と、
前記支持部材に回動自在に支持され、前記第１の排紙ローラに当接する第２の排紙ローラと
を有することを特徴とする、請求項１又は２に記載の排紙装置。
【請求項４】
前記ガイド機構は、前記ガイド機構の開動作時に、前記排紙機構に当接して前記排紙機構を回動させる当接部を有することを特徴とする請求項１乃至３のいずれかに記載の排紙装置。
【請求項５】
装置本体と、
前記装置本体に回動自在に支持され、装置本体外部へ向けて記録媒体を排出させる排紙機構と、
前記装置本体に開閉自在に支持されたガイド機構と、
排出された記録媒体を収容する複数の排出部と
を有し、
前記ガイド機構の開閉状態に応じて前記排出部を切り替えて前記記録媒体を排出すると共に、前記ガイド機構の開閉動作に連動して前記排紙機構を回動させ、前記排紙機構から排出される前記記録媒体の進行方向を切り替え、
前記排紙機構は、回動軸を中心に回動する支持部材と、前記支持部材に形成された第１の長孔とを有し、
前記ガイド機構は、前記第１の長孔の内部に係合するボスを有し、
前記ガイド機構の開閉動作に連動して、前記ボスが前記第１の長孔の内部を移動して前記排紙機構を回動させ、
前記第１の長孔は、内側に前記ボスの移動を規制する弾性変形可能な突起部を有する
ことを特徴とする排紙装置。
【請求項６】
前記記録媒体の進行方向は、前記ガイド機構が閉状態にあるときの第１の方向と、前記ガイド機構が開状態にあるときの第２の方向との間で切り替えられ、前記第２の方向は前記第１の方向よりも水平方向に近いことを特徴とする、請求項５に記載の排紙装置。
【請求項７】
前記排紙機構は、
前記回動軸を中心に回動する第１の排紙ローラと、
前記支持部材に回動自在に支持され、前記第１の排紙ローラに当接する第２の排紙ローラと
を有することを特徴とする、請求項５又は６に記載の排紙装置。
【請求項８】
前記支持部材は、前記第１の長孔に隣接し、前記第１の長孔に沿って形成される第２の長孔を有することを特徴とする、請求項５乃至７のいずれかに記載の排紙装置。
【請求項９】
装置本体と、
前記装置本体に回動自在に支持され、装置本体外部へ向けて記録媒体を排出させる排紙機構と、
前記装置本体に開閉自在に支持されたガイド機構と、
排出された記録媒体を収容する複数の排出部と
を有し、
前記ガイド機構の開閉状態に応じて前記排出部を切り替えて前記記録媒体を排出すると共に、前記ガイド機構の開閉動作に連動して前記排紙機構を回動させ、前記排紙機構から排出される前記記録媒体の進行方向を切り替え、
前記排紙機構は、前記ガイド機構が開状態にあるときの前記排出部に前記記録媒体が排出され収容されたときの前記記録媒体の後方の端部を規制する規制面を備え、
前記ガイド機構が開状態にあるときの前記規制面は、前記ガイド機構に近い側ほど前記装置本体の内側になるように傾斜している
ことを特徴とする排紙装置。
【請求項１０】
前記記録媒体の進行方向は、前記ガイド機構が閉状態にあるときの第１の方向と、前記ガイド機構が前記開状態にあるときの第２の方向との間で切り替えられ、前記第２の方向は前記第１の方向よりも水平方向に近いことを特徴とする、請求項９に記載の排紙装置。
【請求項１１】
前記ガイド機構は、前記ガイド機構の開動作時に、前記排紙機構に当接して前記排紙機構を回動させる当接部を有し、
前記規制面の前記傾斜は、前記当接部の当接による前記排紙機構の回動によって得られる
ことを特徴とする請求項９又は１０に記載の排紙装置。
【請求項１２】
記録媒体を給紙する給紙部と、
前記記録媒体上にトナー画像を形成する画像形成部と、
前記トナー画像を前記記録媒体に定着させる定着部と、
前記記録媒体を排出する請求項１乃至１１のいずれかに記載の排紙装置と
を有することを特徴とする画像形成装置。
【発明の詳細な説明】
【技術分野】
【０００１】
本発明は、複写機やプリンタ等のような画像形成装置において画像が形成された用紙を複数の排紙トレイのいずれかに選択的に排出することができる排紙装置、及びこれを搭載した画像形成装置に関するものである。
【背景技術】
【０００２】
従来の画像形成装置の排紙ユニットにおける排紙方式には、用紙の画像形成面を下にして排紙トレイ上に排出するフェイスダウン排紙と、用紙の画像形成面を上にして排紙トレイ上に排出するフェイスアップ排紙とがある（例えば、特許文献１参照）。
【０００３】
フェイスダウン排紙の場合には、装置本体の側壁に設けられた用紙ガイド部を閉じておき、画像形成された用紙を、用紙ガイド部を通して上方に向けて移動させ、装置本体上部の排紙トレイ上にフェイスダウン状態で排出する。
【０００４】
フェイスアップ排紙の場合には、装置本体の側壁に設けられた用紙ガイド部を支軸を中心に回動させることによって開けて、用紙ガイド部を排紙トレイとし、画像形成された用紙を排紙トレイに向けて移動させ、排紙トレイ上にフェイスアップ状態で排出する。
【０００５】
【特許文献１】特開平７ー２４２３６３号公報
【発明の開示】
【発明が解決しようとする課題】
【０００６】
しかしながら、上記従来の排紙装置は、用紙ガイド部を閉じたときのフェイスダウン排紙と、用紙ガイド部を開けたときのフェイスアップ排紙とを切り替えることができるように構成されているので、用紙ガイド部を開けてフェイスアップ排紙する場合に、カールした用紙の先端が装置本体に設けられているフェイスダウン排紙用の固定ガイド部に突き当たって、用紙ジャムが発生することがあるという問題があった。
【０００７】
そこで、本発明は、上記従来技術の課題を解決するためになされたものであり、その目的は、記録媒体の排出位置を切り替え可能であり、ガイド機構の開状態時に記録媒体のジャムが生じにくい排紙装置及びこれを搭載した画像形成装置を提供することである。
【課題を解決するための手段】
【０００８】
本発明の一形態の排紙装置は、装置本体と、前記装置本体に回動自在に支持され、装置本体外部へ向けて記録媒体を排出させる排紙機構と、前記装置本体に開閉自在に支持されたガイド機構と、排出された記録媒体を収容する複数の排出部とを有し、前記ガイド機構の開閉状態に応じて前記排出部を切り替えて前記記録媒体を排出すると共に、前記ガイド機構の開閉動作に連動して前記排紙機構を回動させ、前記排紙機構から排出される前記記録媒体の進行方向を切り替え、前記ガイド機構は、前記ガイド機構が所定角度開いた第１の位置で係止された第１の開状態、又は、前記ガイド機構が前記所定角度より大きい角度で開いた第２の位置で係止された第２の開状態を、選択的に切り替え可能にする構造を有することを特徴とするものである。
本発明の他の形態の排紙装置は、装置本体と、前記装置本体に回動自在に支持され、装置本体外部へ向けて記録媒体を排出させる排紙機構と、前記装置本体に開閉自在に支持されたガイド機構と、排出された記録媒体を収容する複数の排出部とを有し、前記ガイド機構の開閉状態に応じて前記排出部を切り替えて前記記録媒体を排出すると共に、前記ガイド機構の開閉動作に連動して前記排紙機構を回動させ、前記排紙機構から排出される前記記録媒体の進行方向を切り替え、前記排紙機構は、回動軸を中心に回動する支持部材と、前記支持部材に形成された第１の長孔とを有し、前記ガイド機構は、前記第１の長孔の内部に係合するボスを有し、前記ガイド機構の開閉動作に連動して、前記ボスが前記第１の長孔の内部を移動して前記排紙機構を回動させ、前記第１の長孔は、内側に前記ボスの移動を規制する弾性変形可能な突起部を有することを特徴とするものである。
本発明のさらに他の形態の排紙装置は、装置本体と、前記装置本体に回動自在に支持され、装置本体外部へ向けて記録媒体を排出させる排紙機構と、前記装置本体に開閉自在に支持されたガイド機構と、排出された記録媒体を収容する複数の排出部とを有し、前記ガイド機構の開閉状態に応じて前記排出部を切り替えて前記記録媒体を排出すると共に、前記ガイド機構の開閉動作に連動して前記排紙機構を回動させ、前記排紙機構から排出される前記記録媒体の進行方向を切り替え、前記排紙機構は、前記ガイド機構が開状態にあるときの前記排出部に前記記録媒体が排出され収容されたときの前記記録媒体の後方の端部を規制する規制面を備え、前記ガイド機構が開状態にあるときの前記規制面は、前記ガイド機構に近い側ほど前記装置本体の内側になるように傾斜していることを特徴とするものである。
【０００９】
また、本発明の画像形成装置は、記録媒体を給紙する給紙部と、前記記録媒体上にトナー画像を形成する画像形成部と、前記トナー画像を前記記録媒体に定着させる定着部と、前記記録媒体を排出する上記排紙装置とを有することを特徴とするものである。
【発明の効果】
【００１０】
本発明の排紙装置及び画像形成装置においては、ガイド機構の開閉状態に応じて排出部を切り替えて記録媒体を排出すると共に、ガイド機構の開閉動作に連動して排紙機構を回動させ、排紙機構から排出される記録媒体の進行方向を切り替えるので、ガイド機構の開状態時において、記録媒体のジャムが発生することを抑制することができる。
【発明を実施するための最良の形態】
【００１１】
＜第１の実施形態＞
図１及び図２は、本発明の第１の実施形態に係る排紙装置２０を搭載した画像形成装置１０の構成を概略的に示す側断面図であり、図１は、記録媒体の画像形成面を下にして記録媒体を第１の排出部（排紙トレイ）２３に排出するフェイスダウン排紙の場合、図２は、記録媒体の画像形成面を上にして記録媒体を第２の排出部（排紙トレイ）２４に排出するフェイスアップ排紙の場合を示している。
【００１２】
図１及び図２に示される画像形成装置１０は、外部のコンピュータ等から伝達されてきた画像データに基づき電子写真方式により記録媒体である用紙Ｐ上にカラー画像を形成するカラープリンタである。ただし、本発明の排紙装置２０を搭載できる装置は、図１及び図２に示される装置に限定されず、用紙Ｐの排出位置を切り替える機構を必要とするフィニッシャー（ソート、ステープル、穴あけなどを行う装置）のような他の装置にも適用可能である。
【００１３】
図１及び図２に示されるように、画像形成装置１０は、排紙装置（以下「排紙ユニット」とも言う。）２０の他に、用紙Ｐを１枚ずつ供給する給紙ユニット３０と、給紙ユニット３０から供給された用紙Ｐ上にトナー画像を形成する画像形成部４０と、画像形成部４０において用紙Ｐ上に形成されたトナー画像を用紙Ｐ上に定着させる定着ユニット５０とを有している。
【００１４】
給紙ユニット３０は、用紙積載部３１と、手差しトレイ３２と、用紙搬送部３３とを有している。給紙ユニット３０は、用紙積載部３１に積載された用紙Ｐを１枚ずつ用紙搬送部３３に送る。手差しトレイ３２は、装置外側に回動させて開いて、用紙挿入ガイドとして使用する。用紙搬送部３３は、用紙積載ユニット３１からの用紙Ｐ又は手差しトレイ３２から供給された用紙Ｐを画像形成部４０に供給する。
【００１５】
画像形成部４０は、用紙Ｐを搬送する搬送ベルト４５と、搬送ベルト４５に対向配置されたブラック（Ｋ）、イエロー（Ｙ）、マゼンダ（Ｍ）及びシアン（Ｃ）の画像形成ユニット４１〜４４と、画像形成ユニット４１〜４４で感光体ドラム４０１上に形成された現像トナー像を搬送ベルト４５によって搬送される用紙Ｐ上に転写する転写ローラ４６〜４９とを有している。
【００１６】
搬送ベルト４５は、搬送ベルト４５をＤ１方向に進行させる駆動ローラ４５１，４５２によって支持されている。駆動ローラ４５１，４５２の一方又は両方は、図示しない駆動モータからの駆動力を受けて回転し、搬送ベルト４５をＤ１方向に進行させる。
【００１７】
各画像形成ユニット４１〜４４は、表面に静電潜像が形成される像担持体としての感光体ドラム４０１と、感光体ドラム４０１の表面を一様帯電させる帯電器４０２と、一様帯電した感光体ドラム４０１の表面に画像情報に応じた露光を施して静電潜像を形成する露光装置４０３と、静電潜像が形成された感光体ドラム４０１の表面に現像トナーを供給する現像ローラ４０４と、感光体ドラム４０１上に形成されたトナー像の転写後に感光体ドラム４０１上に残留したトナーを除去するクリーニング装置（図示せず）とを有している。露光装置４０３は、入力された画像情報に基づく光を照射する装置であり、露光用光源として感光体ドラムの軸方向にＬＥＤ素子を配列したＬＥＤアレイヘッドを用いたもの、又は、半導体レーザーとポリゴンミラーを備えたレーザースキャニングユニットを用いたものなどがある。また、図１には示されていないが、画像形成ユニット４１〜４４は、感光体ドラム４０１の駆動装置を有している。
【００１８】
画像形成部４１〜４４の各現像装置はそれぞれ、ブラック（Ｋ）、イエロー（Ｙ）、マゼンダ（Ｍ）、及びシアン（Ｃ）の現像トナーを収容しており、現像ローラ４０４によって感光体ドラム４０１にトナーを供給する。
【００１９】
定着ユニット５０は、１対の定着ローラ５０１，５０２を有している。定着ローラ５０１，５０２は、それぞれヒートローラと加圧ローラであり、定着ローラ５０１，５０２の間に、現像トナー像が転写された用紙Ｐを通過させることによって定着ローラに備えられたヒータによって加熱し、同時に加圧し、現像トナー像を用紙Ｐ上に定着させる。
【００２０】
排紙装置２０は、装置本体１１に回動自在に支持され、装置本体１１外部へ向けて用紙Ｐを排出させる排紙機構２１と、装置本体１１に開閉自在に支持されたガイド機構２２と、排出された用紙Ｐを収容する第１の排出部２３とを有している。図１に示されるように、ガイド機構２２が閉状態であるときには、排紙機構２１から排出された用紙Ｐを、ガイド機構２２によって構成される搬送経路を通して第１の排出部２３に排出する。図２に示されるように、ガイド機構２２が開状態であるときには、排紙機構２１から排出された用紙Ｐを、開状態にあるガイド機構２２によって構成される第２の排出部２４に排出する。排紙機構２１及びガイド機構２２は、装置本体１１に形成された１対の孔部（図示せず）に支持された支軸２２０を中心として回動するガイド機構２２の開閉動作に連動して排紙機構２１を支軸２１０を中心に回動させ、ガイド機構２２が開状態（図２）であるときは、ガイド機構２２が閉状態（図１）であるときよりも、排紙機構２１から排出される用紙Ｐの進行方向がガイド機構２２側に向けさせる機構を含む。
【００２１】
図３は、排紙ユニット２０の一部を示す斜視図である。排紙機構２１は、装置本体（図３には示さず）に回動自在に支持された回動軸である支軸２１０と、支軸２１０に備えられた排紙ローラ２１１とを有している。また、排紙機構２１は、支軸２１０に対して回動自在に支持された支持部材２１２と、支持部材２１２に対して回動自在に支持され、排紙ローラ２１１に当接する他の排紙ローラである搬送コロ２１３と、搬送コロ２１３の支軸２１３ａを排紙ローラ２１１に向けて押しながら支持する加圧部材としての板バネ２１５を有している。支軸２１０は、図示しないモータ等の駆動機構から駆動力を受けて回転して、用紙Ｐを装置本体１１外部に向けて搬送する。また、排紙機構２１は、支持部材２１２をガイド機構２２に向けてＤ２方向に押し付ける力を付与する弾性部材であるトーションスプリング２１４を有している。トーションスプリング２１４は、その一端２１４ａを装置本体１１に係合させ、他端２１４ｂを支持部材２１２の突起部２１２ａに当接させている。
【００２２】
ガイド機構２２は、装置本体１１に回動自在に備えられた支軸２２０と、支軸２２０に支持された用紙積載トレイ２２１と、用紙積載トレイ２２１に備えられた第１の当接部としてのストッパー部２２２と、用紙積載トレイ２２１に備えられた第２の当接部２２３とを有している。支軸２２０は、装置本体１１に形成された１対の孔又は１対の軸受けによって支持されている。また、ガイド機構２２は、ガイド機構２２の閉状態時に、装置本体１１に備えられた可撓性係止爪１１１に係合する溝部２２４と、ガイド機構２２を開くときに使用者が指でつかむ部分である摘み部２２５とを有している。
【００２３】
図４及び図５は、ガイド機構２２を閉状態にしたときの排紙ユニット２０及び定着ユニット５０を概略的に示す側断面図である。図４及び図５に示されるように、ガイド機構２２のガイド部材２２６は、ガイド機構２２の閉状態時に、装置本体１１と共に、排紙ローラ２１１及び搬送コロ２１３により搬送された用紙Ｐをフェイスダウンローラ２５に案内する搬送経路を形成している。支持部材２１２は、排紙ローラ２１１の支軸２１０を中心に回動できるように取付けられている。支持部材２１２は、トーションスプリング２１４によりＤ２方向（図３に示す）に付勢されており、ガイド機構２２の閉状態時には、用紙積載トレイ２２１のストッパー２２２に突き当たっている。
【００２４】
図６及び図７は、ガイド機構２２を開状態にしたときの排紙ユニット２０及び定着ユニット５０を概略的に示す側断面図である。図６及び図７に示されるように、ガイド機構２２を図中反時計回り方向（Ｄ３方向）に回動させて開状態にすると、ガイド機構２２の第２の当接部２２３が排紙機構２１の支持部材２１２に当接して、排紙機構２１を支軸２１０を中心としてＤ４方向に回動させる。
【００２５】
次に、給紙ユニット２０を搭載した画像形成装置１０の動作を説明する。用紙Ｐは、給紙ユニット３０のピックアップローラ３４により取り出され、給紙ローラ３５により１枚ずつ用紙搬送方向下流へ送り出される。さらに、用紙Ｐは、搬送ローラ３６により搬送ベルト４５へ搬送される。転写ローラ４６〜４９によって、搬送ベルト４５上に吸着されて搬送される用紙Ｐには、感光体ドラム２０９上に形成されたトナー像が転写される。その後、用紙Ｐ上の未定着トナーは、所定の温度となるように制御されたヒートローラ５０１と加圧ローラ５０２で熱圧着されることにより、用紙Ｐ上に定着される。
【００２６】
図１、図４及び図５に示されるように、画像を形成された用紙Ｐの画像形成面を下にしたフェイスダウン排紙の場合、ガイド機構２２を装置本体１１に対して閉じた状態で用いる。画像形成部４０にて上面に画像形成された用紙Ｐは、定着ユニット５０を通過した後に装置本体１１に設けられたガイド１１２に案内される。用紙Ｐは、搬送コロ２１３に接触した後に、排紙ローラ２１１及び搬送コロ２１３により、排紙ローラ２１１の支軸２１０の中心と搬送コロ２１３の軸２１３ａの中心を結ぶ平面と垂直の方向に搬送される。
【００２７】
ガイド機構２２を閉じた状態にあっては、用紙Ｐは、ガイド機構２２に形成されているガイド部材２２６、及び装置本体１１に設けられているガイド１１３により反転されて、フェイスダウンローラ２５から装置本体１１に形成された第１の排紙部２３に画像形成面を下にして排紙される。なお、図４に示されるように、用紙Ｐの先端が、ガイド部材２２６の傾斜部に接触する時の角度をθ１とすると、角度θ１が４５度以上の場合、用紙Ｐの先端がガイド部材２２６に接触すると抵抗が大きいため座屈してしまい、ジャムが発生する虞がある。そのため、角度θ１が４５度以上にならないように排紙ローラ２１１と搬送コロ２１３の相対位置が決められている。
【００２８】
図２、図６及び図７に示されるように、画像を形成された用紙Ｐの画像形成面を上にしたフェイスアップ排紙の場合、ガイド機構２２を装置本体１１に対して開いた状態で用いる。ガイド機構２２が閉じているときに、ガイド機構２２の摘み部２２５を持って強くＤ３方向（図１）へ引くことにより、ガイド機構２２の溝２２４が装置本体１１に設けられた可撓性係止爪１１１から外れて、ガイド機構２２が支軸２２０を中心に回動可能となる。ガイド機構２２を支軸２２０中心にＤ３方向に回動させると、ガイド機構２２に形成されている第２の当接部２２３が支持部材２１２に当接する。さらに、ガイド機構２２をＤ３方向に回動させると、支持部材２１２は、ガイド機構２２に形成されている第２の当接部２２３によりＤ４方向へ押されるので、ガイド機構２２の回動に連動して支軸２１０を中心にＤ４方向に回動する。ガイド機構２２は、ガイド機構２２に形成された突起部２２７が、装置本体１１のガイド１１４に当接することで所定傾斜角に制限される。
【００２９】
図８から図１０までは、ガイド機構２２の開閉動作に連動する排紙機構２１の動作を説明するための側断面図である。
【００３０】
図８に示されるように、ガイド機構２２を図９の状態からＤ３方向に回動させると、排紙機構２１の支持部材２１２は、ガイド機構２２の第２の当接部２２３によりＤ４方向へ押されるので、排紙機構２１は、ガイド機構２２の回動に連動して、支軸２１０を中心にＤ４方向（図８において、反時計回り方向）に回動する。これにより、搬送コロ２１３は支軸２１０を中心に回動し、図８に示すように、二点鎖線の位置から実線の位置に移動するので、排紙ローラ２１１と搬送コロ２１３の当接位置が変更される。ガイド機構２２は、ガイド機構２２に形成された突起部２２７が、装置本体１１のガイド１１４に当接することで所定傾斜角に制限される。このときの状態は、図１０に示される。トーションスプリング２１４の復元力は、図１０に示されるガイド機構２２が開いた状態からトーションスプリング２１４の復元力により図中時計回り方向に回動しない値とする。
【００３１】
画像形成部４０にて上面に画像形成された用紙Ｐは、定着ユニット５０を通過した後に装置本体１１に設けられたガイド１１２に案内される。用紙Ｐは、搬送コロ２１３に接触した後に排紙ローラ２１１及び搬送コロ２１３により、排紙ローラ２１１の支軸２１０の中心と搬送コロ２１３の軸２１３ａの中心を結ぶ平面と垂直の方向に搬送される。ガイド機構２２を開いた状態にあっては、用紙Ｐは、排紙ローラ２１１及び搬送コロ２１３により搬送され、ガイド機構２２上に画像形成面を上にして排紙される。
【００３２】
図８に示すように、搬送コロ２１３が二点鎖線の位置から実線の位置に移動することにより、用紙Ｐの排出角度がθ１からθ２へと大きくなり、用紙Ｐが、ガイド機構２２側（図８において下側）へ排紙されやすくなる。このとき、用紙Ｐが装置本体１１（例えば、爪１１１）と接触しない角度θ２となるように搬送コロ２１３の移動量が決められる。
【００３３】
ガイド機構２２を閉じるときには、使用者が支軸２２０を中心にＤ６方向（図８において時計回り方向）に回動させると、支持部材２１２は、使用者によって加えられる力とトーションスプリング２１４の復元力によって、Ｄ６方向に回動する。さらに、ガイド機構２２を、支軸２２０を中心にＤ６方向に回動させると、ガイド機構２２の溝２２４が装置本体１１に設けられた可撓性係止爪１１１と係合し、その時、支持部材２１２は、ガイド機構２２のストッパー２２２に突き当たるので回動が停止する。この状態は図９に示す状態である。
【００３４】
以上説明したように、第１の実施形態の排紙装置２０によれば、ガイド機構２２の回動と連動して、排紙ローラ２１１と搬送コロ２１３の当接位置を変更する機構を設けたことにより、ガイド機構２２を装置本体１１に対し閉じた場合においては、排紙ローラ２１１から搬送される用紙Ｐをガイド部材２２６へ正確かつ確実に案内することができ、ガイド機構２２を装置本体１１に対し開けた場合においては、排紙ローラ２１１から搬送される用紙Ｐが装置本体１１のガイド１１３に接触しないため、ガイド機構２２に正確かつ確実に案内されるという効果が得られる。
【００３５】
＜第２の実施形態＞
図１１及び図１２は、本発明の第２の実施形態に係る排紙装置（排紙ユニット）２０ａの一部の側断面図である。図１１及び図１２において、図１から図１０までにおいて示した構成と同一又は対応する構成には、同じ符号を付す。
【００３６】
第２の実施形態の排紙ユニット２０ａは、排紙機構２１ａ及びガイド機構２２ａが、ガイド機構２２ａの開動作時に、排紙機構２１ａに係合して排紙機構２１ａを連動し、開位置を制限する制限機構を含むことが、第１の実施形態の排紙ユニット２０と相違する。
【００３７】
第２の実施形態においては、排紙機構２１ａの支持部材２１２に長孔２１６が形成されており、ガイド機構２２ａに、長孔２１６内を移動可能に係合し、ガイド機構２２ａの開閉動作に伴って長孔２１６内を移動するボス２２８とを有している。
【００３８】
図１１に示されるガイド機構２２ａの閉状態時に、ガイド機構２２ａの摘み部２２５を持って強く図中のＤ３方向へ引くことにより、ガイド機構２２ａの溝２２４が装置本体１１に設けられた可撓性係止爪１１１から外れてガイド機構２２ａが支軸２２０を中心に回動可能となる。ガイド機構２２ａを支軸２２０を中心にＤ３方向に回動させると、ボス２２８が支持部材２１２の長孔２１６をＤ７方向に押しながら長孔２１６に沿ってＤ８方向に移動する。支持部材２１２は、ガイド機構２２ａの回動に連動して、支軸２１０を中心に図中反時計回り方向に回動する。これにより、支持部材２１２に加圧部材２１５を介して取付けられている搬送コロ２１３も支軸２１０を中心に回動し、図１２に示すように二点鎖線の位置から一点鎖線の位置に移動するので、排紙ローラ２１１と搬送コロ２１３の当接位置が変更される。ガイド機構２２は、ガイド機構２２に形成されたボス２２８が、長孔２１６の端部２１６ｂに当接することで所定傾斜角に制限される。
【００３９】
以上のように、第２の実施形態によれば、トーションスプリング２１４の代わりに支持部材２１２に設けた長孔２１６と嵌合するボス２２８をガイド機構２２に形成したので、さらに構成部材を少なくするという効果が得られる。
【００４０】
なお、第２の実施形態において、上記以外の点は、上記第１の実施形態の場合と同じである。
【００４１】
＜第３の実施形態＞
図１３から図１５までは、本発明の第３の実施形態に係る排紙装置（排紙ユニット）２０ｂの一部の側断面図であり、図１３は、ガイド機構の閉状態時、図１４は、ガイド機構の第１の開状態時、図１５は、ガイド機構が図１４よりも大きく開いている第２の開状態時を示す。図１３から図１５までにおいて、図１から図１２までにおいて示した構成と同一又は対応する構成には、同じ符号を付す。
【００４２】
第３の実施形態の排紙ユニット２０ｂは、排紙機構２１ｂ及びガイド機構２２ｂが、ガイド機構２２ｂの開動作時に、排紙機構２１ｂの動作に連動する排紙機構２１ｂとからなる連動機構を含むことが、第１の実施形態の排紙ユニット２０と相違する。より具体的に言えば、ガイド機構２２ｂを図１３のＤ３方向に回動させて開状態にすると、ガイド機構２２ｂのボス２２８が支持部材２１２の長孔２１７内を移動して、支軸２１０を中心として支持部材２１２を回動させる点が第１の実施形態の排紙ユニット２０と相違する。また、第３の実施形態の排紙ユニット２０ｂは、長孔２１７内に突起部２１８を備えている点、及び、長孔２１７に沿う長孔２１９によって突起部２１８周辺を弾性変形可能にした点が、第２の実施形態の排紙ユニット２０ａと相違する。
【００４３】
第３の実施形態においては、排紙機構２１ｂの支持部材２１２に長孔２１７が形成されており、ガイド機構２２ｂに、長孔２１７内に移動可能に係合し、ガイド機構２２ｂの開閉動作に伴って長孔２１７内を移動するボス２２８を有している。また、排紙機構２１ｂの支持部材２１２は、長孔２１７の内側に突起して、長孔２１７内を移動するボス２２８に係合する突起２１８を有している。また、排紙機構２１ｂの支持部材２１２に、長孔２１７に隣接して、長孔２１７に沿う他の長孔２１９を備えている。突起２１８近傍に長孔２１９が形成されているため、突起２１８及びその周辺部は弾性変形することが可能である。
【００４４】
図１３に示される閉状態のガイド機構２２ｂを、摘み部２２５を持って強くＤ３方向（図１３において左方向）へ引くことにより、ガイド機構２２ｂの溝部２２４が装置本体１１に設けられた可撓性係止爪１１１から外れて、ガイド機構２２ｂが支軸２２０を中心に回動可能となる。ガイド機構２２ｂを支軸２２０中心にＤ３方向（図１３における反時計回り方向）に回動させると、ボス２２８が支持部材２１２の長孔２１７をＤ７方向に押しながら、長孔２１７に沿ってＤ８方向に移動する。排紙機構２１ｂの支持部材２１２は、図１４に示されるように、ガイド機構２２ｂの回動に連動して、支軸２１０を中心にＤ９方向（図中反時計回り方向）に回動する。よって、排紙機構２１ｂの支持部材２１２に加圧部材２１５を介して取付けられている搬送コロ２１３も支軸２１０を中心に回動し、図１４に示すように、二点鎖線の位置から破線の位置に移動するので、排紙ローラ２１１と搬送コロ２１３の当接位置が変更される。ボス２２８が支持部材２１２の長孔２１７に形成される突起２１８に接触すると、図１４に示されるように、ガイド機構２２ｂの回動は一旦停止する。このとき、ガイド機構２２ｂの上に用紙Ｐが積載された場合においても、ボス２２８は突起２１８を乗り越えて移動しない。このときに、ガイド機構２２ｂは、図１５に示される第１の開状態よりも小さく開いている第１の開状態にある。
【００４５】
さらに、図１４のガイド機構２２ｂを支軸２２０を中心にＤ３方向（図中反時計回り方向）に回動させると、ボス２２８は突起２１８及び突起２１８の周辺部を長孔２１９側に弾性変形させながら突起２１８を乗り越え、支持部材２１２をＤ７方向に押しながら長孔２１７に沿ってＤ８方向に移動する。支持部材２１２は、ガイド機構２２ｂの回動に連動して、支軸２１０を中心にＤ９方向（図中反時計回り方向）に回動する。これにより、支持部材２１２に加圧部材２１５を介して取付けられている搬送コロ２１３も支軸２１０を中心に回動し、図１５に示すように、二点鎖線の位置から破線の位置に移動するので、排紙ローラ２１１と搬送コロ２１３の当接位置が変更される。ガイド機構２２ｂは、ガイド機構２２ｂに形成されたボス２２８が、長孔２１７の端部２１７ｂに当接することで所定傾斜角に制限される。
【００４６】
以上説明したように、第３の実施形態によれば、ガイド機構２２の角度を２ヶ所以上設定できるように支持部材２１２に弾性変形可能な突起部２１８を設けたことにより、更に用紙Ｐの様式やカール状況に応じて、ガイド機構２２ｂの角度を変更することができるという効果が得られる。
【００４７】
また、第３の実施形態によれば、ガイド機構２２ｂを、図１４に示される中間の開状態で使用できるので、設置スペースの狭い場所においてもフェイスアップ排紙に切り替えることがきる。
【００４８】
また、第３の実施形態によれば、ガイド機構２２ｂを、図１４に示される中間の開状態で使用できるので、用紙積載トレイ２２１よりも大きな用紙が用紙積載トレイ２２１を乗り越えて落下し難いという利点がある。
【００４９】
さらに、第３の実施形態によれば、ガイド機構２２ｂを、図１４に示される中間の開状態で使用できるので、図１６（ｂ）に示されるように用紙Ｐを立て向きに近い状態に収容するので、図１６（ａ）に示されるように用紙がカールしたときに生じ得る用紙Ｐと搬送コロ２１３との望ましくない接触を回避することができる。
【００５０】
なお、第３の実施形態において、上記以外の点は、上記第１及び第２の実施形態の場合と同じである。
【図面の簡単な説明】
【００５１】
【図１】本発明の第１の実施形態に係る排紙装置を搭載した画像形成装置のフェイスダウン排紙時の構成を概略的に示す側断面図である。
【図２】本発明の第１の実施形態に係る排紙装置を搭載した画像形成装置のフェイスダウン排紙時の構成を概略的に示す側断面図である。
【図３】本発明の第１の実施形態に係る排紙装置の一部を示す斜視図である。
【図４】本発明の第１の実施形態に係る排紙装置のガイド機構閉状態時の側断面図である。
【図５】本発明の第１の実施形態に係る排紙装置のガイド機構閉状態時の側断面図である。
【図６】本発明の第１の実施形態に係る排紙装置のガイド機構開状態時の側断面図である。
【図７】本発明の第１の実施形態に係る排紙装置のガイド機構開状態時の側断面図である。
【図８】本発明の第１の実施形態に係る排紙装置のガイド機構の開閉動作に連動する排紙機構の動作を説明するための側断面図である。
【図９】本発明の第１の実施形態に係る排紙装置のガイド機構閉状態時の側断面図である。
【図１０】本発明の第１の実施形態に係る排紙装置のガイド機構開状態時の側断面図である。
【図１１】本発明の第２の実施形態に係る排紙装置のガイド機構閉状態時の側断面図である。
【図１２】本発明の第２の実施形態に係る排紙装置のガイド機構開状態時の側断面図である。
【図１３】本発明の第３の実施形態に係る排紙装置のガイド機構閉状態時の側断面図である。
【図１４】本発明の第３の実施形態に係る排紙装置のガイド機構中間位置時の側断面図である。
【図１５】本発明の第３の実施形態に係る排紙装置のガイド機構開状態時の側断面図である。
【図１６】（ａ）及び（ｂ）は、本発明の第３の実施形態に係る排紙装置の効果を説明するための図である。
【符号の説明】
【００５２】
１０  画像形成装置
２０，２０ａ，２０ｂ  排紙装置（排紙ユニット）
２１，２１ａ，２１ｂ  排紙機構
２２，２２ａ，２２ｂ  ガイド機構
２３  第１の排出部
２４  第２の排出部
２５  フェイスダウンローラ
３０  給紙ユニット
３１  用紙積載ユニット
３２  手差しトレイ
３３  用紙搬送部
３４  ピックアップローラ
３５  供給ローラ
３６  搬送ローラ
３７  搬送ローラ
４０  画像形成部
４１〜４４  画像形成ユニット
４５  搬送ベルト
４６〜４９  転写ローラ
５０  定着ユニット
１１１  可撓性係止爪
１１２，１１３  ガイド
２１０  排紙機構の支軸
２１１  搬送ローラ
２１２  支持部材
２１２ａ  突起部
２１３  搬送コロ
２１３ａ  搬送コロの支軸
２１４  トーションスプリング
２１５  板バネ
２１６，２１７  長孔（第１の長孔）
２１８  突起
２１９  長孔（第２の長孔）
２２０  ガイド機構の支軸
２２１  用紙積載トレイ
２２２  ストッパー部（第１の当接部）
２２３  第２の当接部
２２４  溝部
２２５  摘み部
２２６  ガイド部材
２２７  突起部
２２８  ボス
４０１  感光体ドラム
４０２  帯電器
４０３  露光装置
４５１  駆動ローラ
４５２  駆動ローラ
５０１  ヒートローラ
５０２  加圧ローラ
Ｐ  用紙（記録媒体）
【図１】
0004527033.tif 000002
【図２】
0004527033.tif 000003
【図３】
0004527033.tif 000004
【図４】
0004527033.tif 000005
【図５】
0004527033.tif 000006
【図６】
0004527033.tif 000007
【図７】
0004527033.tif 000008
【図８】
0004527033.tif 000009
【図９】
0004527033.tif 000010
【図１０】
0004527033.tif 000011
【図１１】
0004527033.tif 000012
【図１２】
0004527033.tif 000013
【図１３】
0004527033.tif 000014
【図１４】
0004527033.tif 000015
【図１５】
0004527033.tif 000016
【図１６】
0004527033.tif 000017